【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
圧縮空気を蓄える蓄圧室と、
シリンダと、
該シリンダ内に連通する戻り空気室と、
該シリンダ内に往復摺動可能に設けられたピストンと、
トリガと、
該ピストンの上面及び該シリンダの内面より画成されるピストン上室から該蓄圧室への通路及び大気への通路を択一的に形成するメインバルブと、
室内の圧力によって該メインバルブを上下動させるメインバルブ室と、
該メインバルブ室より延びるメインバルブ制御通路と、
該メインバルブ制御通路に接続され、該蓄圧室から該メインバルブ制御通路への流路及び該メインバルブ室から大気への流路を択一的に連通、遮断するトリガバルブとを有する打込機において、
一端が該蓄圧室に接続され他端が該メインバルブ室に接続されたメインバルブ室通路と、一端が該戻り空気室に接続されたサブバルブ制御通路とが形成され、
該サブバルブ制御通路の他端に一端部が配置され、他端部は該メインバルブ制御通路内に配置され、該一端部と該他端部との間の中間部が該メインバルブ室通路を遮断又は連通し、該一端部と該他端部とを結ぶ方向に移動可能なサブバルブを備え、
該サブバルブの該移動により該サブバルブの該他端部は該メインバルブ制御通路を遮断可能であり、該中間部には空気流路が形成され該空気流路を介して該メインバルブ室通路を連通可能であり、該空気流路が形成されていない該中間部の周面の部分で該メインバルブ室通路を遮断可能であり、
該サブバルブは、該メインバルブ制御通路を遮断されていない連通状態とし且つメインバルブ室通路を遮断する第１位置と、該メインバルブ制御通路を遮断し且つメインバルブ室通路を連通する第２位置との間で移動可能であることを特徴とする打込機。
【請求項２】
該サブバルブの該中間部であって該エア周面流路よりも他端部寄りの部分にはフランジ部を有し、該サブバルブの一端部側の該フランジ部の端面の面積をＤとし、該サブバルブの他端部側の該フランジ部の端面及び該メインバルブ制御通路のトリガバルブ側からの圧縮空気の圧力を受ける該サブバルブの他端部の端面の面積をＦとし、該サブバルブにより遮断される該メインバルブ制御通路の部分の断面積をＥとしたときに、
Ｅ＋Ｆ  ＞  Ｄ  ＞  Ｅ
の関係を有することを特徴とする請求項１記載の打込機。
【請求項３】
圧縮空気を蓄える蓄圧室と、
シリンダと、
該シリンダ内に連通する戻り空気室と、
該シリンダ内に往復摺動可能に設けられたピストンと、
トリガと、を有し、該トリガが操作された際に該ピストン上部と該蓄圧室とを連通させ、打込を行う打込機であって、
該戻り空気室の圧力が高くなった際に該ピストン上部と該蓄圧室との連通を遮断するモードと、該戻り空気室の圧力が高くなったとしても該ピストン上部と該蓄圧室の連通を維持し、トリガの操作が解除された際に該ピストン上部と該蓄圧室との連通を遮断するモードとに切替え可能なモード切替手段を有することを特徴とする打込機。
【手続補正２】
【補正対象書類名】明細書
【補正対象項目名】００１０
【補正方法】変更
【補正の内容】
【００１０】
上記目的を達成するために、本発明は、  圧縮空気を蓄える蓄圧室と、シリンダと、該シリンダ内に連通する戻り空気室と、該シリンダ内に往復摺動可能に設けられたピストンと、トリガと、該ピストンの上面及び該シリンダの内面より画成されるピストン上室から該蓄圧室への通路及び大気への通路を択一的に形成するメインバルブと、室内の圧力によって該メインバルブを上下動させるメインバルブ室と、該メインバルブ室より延びるメインバルブ制御通路と、該メインバルブ制御通路に接続され、該蓄圧室から該メインバルブ制御通路への流路及び該メインバルブ室から大気への流路を択一的に連通、遮断するトリガバルブとを有する打込機において、一端が該蓄圧室に接続され他端が該メインバルブ室に接続されたメインバルブ室通路と、一端が該戻り空気室に接続されたサブバルブ制御通路とが形成され、該サブバルブ制御通路の他端に一端部が配置され、他端部は該メインバルブ制御通路内に配置され、該一端部と該他端部との間の中間部が該メインバルブ室通路を遮断又は連通し、該一端部と該他端部とを結ぶ方向に移動可能なサブバルブを備え、該サブバルブの該移動により該サブバルブの該他端部は該メインバルブ制御通路を遮断可能であり、該中間部には空気流路が形成され該空気流路を介して該メインバルブ室通路を連通可能であり、該空気流路が形成されていない該中間部の周面の部分で該メインバルブ室通路を遮断可能であり、該サブバルブは、該メインバルブ制御通路を遮断されていない連通状態とし且つメインバルブ室通路を遮断する第１位置と、該メインバルブ制御通路を遮断し且つメインバルブ室通路を連通する第２位置との間で移動可能である打込機を提供している。
【手続補正３】
【補正対象書類名】明細書
【補正対象項目名】００１１
【補正方法】変更
【補正の内容】
【００１１】
一端が該蓄圧室に接続され他端が該メインバルブ室に接続されたメインバルブ室通路と、一端が該戻り空気室に接続されたサブバルブ制御通路とが形成され、該サブバルブ制御通路の他端に一端部が配置され、他端部は該メインバルブ制御通路内に配置され、該一端部と該他端部との間の中間部が該メインバルブ室通路を遮断又は連通し、該一端部と該他端部とを結ぶ方向に移動可能なサブバルブを備え、該サブバルブの該移動により該サブバルブの該他端部は該メインバルブ制御通路を遮断可能であり、該中間部には空気流路が形成され該空気流路を介して該メインバルブ室通路を連通可能であり、該空気流路が形成されていない該中間部の周面の部分で該メインバルブ室通路を遮断可能であり、該サブバルブは、該メインバルブ制御通路を遮断されていない連通状態とし且つメインバルブ室通路を遮断する第１位置と、該メインバルブ制御通路を遮断し且つメインバルブ室通路を連通する第２位置との間で移動可能であるため、戻り空気室内の圧力が高くなることによりサブバルブは第２位置となり、メインバルブ室内へ圧縮空気を供給し、メインバルブがピストン上室から大気への通路を形成した状態としてピストン上室と蓄圧室とを遮断することができる。このため、特開２００５−２０５５０４号公報（特許文献１）に記載されているような構成のトリガバルブを有する打込機において、トリガが引かれた後に引続きトリガが引かれた状態が維持された場合であっても、ピストン上室内への圧縮空気の供給を自動的に停止することができる。
【手続補正４】
【補正対象書類名】明細書
【補正対象項目名】００１３
【補正方法】変更
【補正の内容】
【００１３】
該サブバルブの該中間部であって該エア周面流路よりも他端部寄りの部分にはフランジ部を有し、該サブバルブの一端部側の該フランジ部の端面の面積をＤとし、該サブバルブの他端部側の該フランジ部の端面及び該メインバルブ制御通路のトリガバルブ側からの圧縮空気の圧力を受ける該サブバルブの他端部の端面の面積をＦとし、該サブバルブにより遮断される該メインバルブ制御通路の部分の断面積をＥとしたときに、Ｄ  ＞  Ｅの関係を有するため、蓄圧室からピストン上室に圧縮空気が流入することによりピストンが移動しピストンが元の位置に戻るまでの間に、サブバルブが第１位置と第２位置との間で往復運動してしまうことを防止することができる。また、Ｅ＋Ｆ  ＞  Ｄの関係を有するため、トリガが開放されたときにサブバルブを第１位置へ戻すことができる。
本発明は更に、圧縮空気を蓄える蓄圧室と、シリンダと、該シリンダ内に連通する戻り空気室と、該シリンダ内に往復摺動可能に設けられたピストンと、トリガと、を有し、該トリガが操作された際に該ピストン上部と該蓄圧室とを連通させ、打込を行う打込機であって、該戻り空気室の圧力が高くなった際に該ピストン上部と該蓄圧室との連通を遮断するモードと、該戻り空気室の圧力が高くなったとしても該ピストン上部と該蓄圧室の連通を維持し、トリガの操作が解除された際に該ピストン上部と該蓄圧室との連通を遮断するモードとに切替え可能なモード切替手段を有する打込機を提供している。